Podtech/llm-jp-corpus-v4-ja_patent huggingface dataset:
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
ａ）結晶粒子状形態の抗真菌薬と、ｂ）安定剤と、ｃ）１又は複数種の賦形剤と、を含有する均質な呼吸用乾燥粒子を含む乾燥粉末であって、前記結晶粒子状形態は、約５０ｎｍ〜約２５００ｎｍの二次粒子の形態である、乾燥粉末。
【請求項２】
前記二次粒子が、約５０ｎｍ〜約８００ｎｍ（Ｄｖ５０）である、請求項１に記載の乾燥粉末。
【請求項３】
前記二次粒子が、約５０ｎｍ〜約２００ｎｍ（Ｄｖ５０）である、請求項１に記載の乾燥粉末。
【請求項４】
前記抗真菌薬が、約１重量％〜約９５重量％の量で存在する、請求項１〜３のいずれか１項に記載の乾燥粉末。
【請求項５】
前記抗真菌薬が、約４０重量％〜約９０重量％の量で存在する、請求項１〜４のいずれか１項に記載の乾燥粉末。
【請求項６】
前記抗真菌薬が、約４０重量％〜約６０重量％の量で存在する、請求項１〜５のいずれか１項に記載の乾燥粉末。
【請求項７】
前記抗真菌薬：安定剤（ｗｔ：ｗｔ）の比が、約１：１〜５０：１である、請求項１〜６のいずれか１項に記載の乾燥粉末。
【請求項８】
前記安定剤が、約０．０５重量％〜約４５重量％の量で存在する、請求項１〜７のいずれか１項に記載の乾燥粉末。
【請求項９】
前記１又は複数種の賦形剤が、約１０重量％〜約９９重量％又は約５重量％〜約５０重量％から選択される量で存在する、請求項１〜８のいずれか１項に記載の乾燥粉末。
【請求項１０】
前記１又は複数種の賦形剤が、一価金属カチオン塩、二価金属カチオン塩、アミノ酸、糖アルコール、又はそれらの組合せを含む、請求項１〜９のいずれか１項に記載の乾燥粉末。
【請求項１１】
前記１又は複数種の賦形剤が、塩化ナトリウム、硫酸ナトリウム及びロイシンからなる群より選択される、請求項１〜１０のいずれか１項に記載の乾燥粉末。
【請求項１２】
前記１又は複数種の賦形剤が、塩化ナトリウム及びロイシンである、請求項１１に記載の乾燥粉末。
【請求項１３】
前記１又は複数種の賦形剤が、硫酸ナトリウム及びロイシンである、請求項１１に記載の乾燥粉末。
【請求項１４】
前記１又は複数種の賦形剤が、乳酸マグネシウム及びロイシンを含む、請求項１〜１３のいずれか１項に記載の乾燥粉末。
【請求項１５】
前記抗真菌薬が、トリアゾール抗真菌薬である、請求項１〜１４のいずれか１項に記載の乾燥粉末。
【請求項１６】
前記トリアゾール抗真菌薬が、イトラコナゾールである、請求項１５に記載の乾燥粉末。
【請求項１７】
前記抗真菌薬が、ポリエン抗真菌薬ではないことを条件とする、請求項１〜１４のいずれか１項に記載の乾燥粉末。
【請求項１８】
前記安定剤が、ポリソルベート８０であり、１０ｗｔ％以下の量で存在する、請求項１〜１７のいずれか１項に記載の乾燥粉末。
【請求項１９】
前記安定剤が、オレイン酸であり、１０ｗｔ％以下の量で存在する、請求項１〜１８のいずれか１項に記載の乾燥粉末。
【請求項２０】
前記呼吸用乾燥粒子が、約１０ミクロン以下の体積中央幾何学径（ＶＭＧＤ）、０．２ｇ／ｃｃ〜１．０ｇ／ｃｃのタップ密度、約１ミクロン〜約５ミクロンのＭＭＡＤ、及びレーザ回析により測定して、約１．５以下の０．５／４バール分散性比（０．５／４バール）を有する、請求項１〜１９のいずれか１項に記載の乾燥粉末。
【請求項２１】
前記乾燥粉末が、総用量約２５％以上の５ミクロン未満のＦＰＦを有する、請求項１〜２０のいずれか１項に記載の乾燥粉末。
【請求項２２】
前記乾燥粉末が、カプセルベースの受動乾燥粉末吸入器を用いて、患者に送達される、請求項１〜２１のいずれか１項に記載の乾燥粉末。
【請求項２３】
前記呼吸用乾燥粒子が、以下の条件：総質量１０ｍｇを含有するサイズ３カプセルを用いて３秒間にわたり吸入流量３０ＬＰＭで、毎分約０．０３６ｓｑｒｔ（ｋＰａ）／リットルの抵抗を有する受動乾燥粉末吸入器から放出されるとき、少なくとも８０％のカプセル放出粉末質量を有し、前記総質量は、呼吸用乾燥粒子からなり、ここで、前記吸入器から放出される前記呼吸用乾燥粒子の体積中央幾何学径が、レーザ回析により測定して、５ミクロン以下である、請求項１〜２２のいずれか１項に記載の乾燥粉末。
【請求項２４】
真菌感染症の治療のための医薬の製造における請求項１〜２３のいずれか１項に記載の乾燥粉末の使用であって、前記医薬が、それが必要な患者の呼吸器に投与可能なように適合されている、使用。
【請求項２５】
真菌感染症の治療のための医薬の製造における請求項１〜２３のいずれか１項に記載の乾燥粉末の使用であって、前記医薬が、それが必要な嚢胞性線維症患者の呼吸器に投与可能なように適合されている、使用。
【請求項２６】
真菌感染症の治療のための医薬の製造における請求項１〜２３のいずれか１項に記載の乾燥粉末の使用であって、前記医薬が、それが必要な喘息患者の呼吸器に投与可能なように適合されている、使用。
【請求項２７】
アスペルギルス症の治療のための医薬の製造における請求項１〜２３のいずれか１項に記載の乾燥粉末の使用であって、前記医薬が、それが必要な患者の呼吸器に投与可能なように適合されている、使用。
【請求項２８】
アレルギー性気管支肺アスペルギルス症（ＡＢＰＡ）の治療のための医薬の製造における請求項１〜２３のいずれか１項に記載の乾燥粉末の使用であって、前記医薬が、それが必要な患者の呼吸器に投与可能なように適合されている、使用。
【請求項２９】
呼吸器疾患の急性増悪を治療するための又はその頻度若しくは重症度を軽減するための医薬の製造における請求項１〜２３のいずれか１項に記載の乾燥粉末の使用であって、前記医薬が、それが必要な患者の呼吸器に投与可能なように適合されており、前記急性増悪が真菌感染症である、使用。
【請求項３０】
免疫不全患者の真菌感染症の治療のための医薬の製造における請求項１〜２３のいずれか１項に記載の乾燥粉末の使用であって、前記医薬が、それが必要な免疫不全患者の呼吸器に投与可能なように適合されている、使用。
【請求項３１】
任意選択の賦形剤と共に界面活性剤安定化懸濁液を噴霧乾燥するステップを含む工程により製造され、これにより組成的に均質な乾燥粒子が製造される、請求項１〜２３のいずれか１項に記載の乾燥粉末。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
下記化学式１で表される、５族金属化合物：
【化１】
2019534245.tif 000001
前記化学式１において、
Ｍは、Ｔａ又はＮｂであり、
Ｒ１、Ｒ２、Ｒ３、及びＲ４は、それぞれ独立に、水素又は炭素数１〜４の線状又は分枝状のアルキル基であり、
Ｒ５は、炭素数３〜６の線状又は分枝状のアルキル基であり、
Ｒ６、Ｒ７、及びＲ８は、それぞれ独立に、炭素数１〜４の線状又は分枝状のアルキル基であり、
ｎは、１〜４の整数であり、
シクロペンタジエニル環の１つの炭素原子とＮＲ８の窒素原子は、アルキレン基を介して互いに架橋結合されている。
【請求項２】
前記Ｒ１、Ｒ２、Ｒ３、及びＲ４は、それぞれ独立に、水素、メチル基、又はエチル基である、請求項１に記載の５族金属化合物。
【請求項３】
前記Ｒ５は、ｎ−プロピル基、ｉｓｏ−プロピル基、ｎ−ブチル基、ｔｅｒｔ−ブチル基、ｉｓｏ−ブチル基、ｓｅｃ−ブチル基、ｎ−ペンチル基、ｔｅｒｔ−ペンチル基、ｉｓｏ−ペンチル基、ｓｅｃ−ペンチル基、ネオペンチル基、又は３−ペンチル基である、請求項１に記載の５族金属化合物。
【請求項４】
前記Ｒ６、Ｒ７、及びＲ８は、それぞれ独立に、メチル基又はエチル基である、請求項１に記載の５族金属化合物。
【請求項５】
下記化学式２で表される（Ｒ５Ｎ＝）Ｍ（ＮＲ６Ｒ７）３化合物に下記化学式３で表されるＲ１Ｒ２Ｒ３Ｒ４Ｃｐ（ＣＨ２）ｎＮＨＲ８化合物を添加して反応させることを含む、下記化学式１で表される５族金属化合物の製造方法。
【化２】
2019534245.tif 000002
【化３】
2019534245.tif 000003
【化４】
2019534245.tif 000004
前記化学式１〜３の各々において、
Ｍは、Ｔａ又はＮｂであり、
Ｒ１、Ｒ２、Ｒ３、及びＲ４は、それぞれ独立に、水素又は炭素数１〜４の線状又は分枝状のアルキル基であり、
Ｒ５は、炭素数３〜６の線状又は分枝状のアルキル基であり、
Ｒ６、Ｒ７、及びＲ８は、それぞれ独立に、炭素数１〜４の線状又は分枝状のアルキル基であり、
ｎは、１〜４の整数であり、
Ｃｐは、シクロペンタジエニル基である。
【請求項６】
前記Ｒ１、Ｒ２、Ｒ３、及びＲ４は、それぞれ独立に、水素、メチル基、又はエチル基である、請求項５に記載の５族金属化合物の製造方法。
【請求項７】
前記Ｒ５は、ｎ−プロピル基、ｉｓｏ−プロピル基、ｎ−ブチル基、ｔｅｒｔ−ブチル基、ｉｓｏ−ブチル基、ｓｅｃ−ブチル基、ｎ−ペンチル基、ｔｅｒｔ−ペンチル基、ｉｓｏ−ペンチル基、ｓｅｃ−ペンチル基、ネオペンチル基、又は３−ペンチル基である、請求項５に記載の５族金属化合物の製造方法。
【請求項８】
前記Ｒ６、Ｒ７、及びＲ８は、それぞれ独立に、メチル基又はエチル基である、請求項５に記載の５族金属化合物の製造方法。
【請求項９】
請求項１から４の何れか一項に記載の５族金属化合物を含む、５族金属含有膜蒸着用前駆体組成物。
【請求項１０】
請求項９に記載の５族金属含有膜蒸着用前駆体組成物を用いて基材上に５族金属含有膜を形成することを含む、５族金属含有膜の蒸着方法。
【請求項１１】
前記５族金属含有膜は、化学気相蒸着法又は原子層蒸着法によって蒸着される、請求項１０に記載の５族金属含有膜の蒸着方法。
【請求項１２】
前記基材は、その表面に形成された凹凸を含む、請求項１０に記載の５族金属含有膜の蒸着方法。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
がんの転移を阻害するか又はがんの転移リスクを低減するための、ＮＥＴ阻害ペプチド（ＮＩＰ）を含む医薬組成物。
【請求項２】
前記ＮＩＰが、新生児ＮＥＴ阻害因子（ｎＮＩＦ）、ｎＮＩＦの医薬的に許容される塩、ｎＮＩＦ類縁体、ｎＮＩＦ類縁体の医薬的に許容される塩、ｎＮＩＦ関連ペプチド（ＮＰＲ）、ＮＲＰの医薬的に許容される塩、ＮＲＰ類似体、またはＮＲＰ類似体の医薬的に許容される塩のうちの１つである、請求項１に記載の医薬組成物。
【請求項３】
前記ＮＩＰがＮＲＰである、請求項２に記載の医薬組成物。
【請求項４】
前記ＮＲＰが、ＣＲＩＳＰＰ（がん関連ＳＣＭ認識・免疫防御抑制及びセリンプロテアーゼ保護ペプチド）、Ａ１ＡＴの４４アミノ酸カルボキシ末端開裂断片（Ａ１ＡＴｍ358）、または高温の必要条件Ａ１（ＨＴＲＡ１）開裂断片のＡ１ＡＴ（ＨＴＲＡ１−ＣＦ）のうちの少なくとも１つである、請求項３に記載の医薬組成物。
【請求項５】
前記ＮＲＰがＣＲＩＳＰＰまたはその塩であり、且つＣＲＩＳＰＰまたはその塩のアミノ酸配列が配列番号：２のアミノ酸配列に対して少なくとも８０％同一である、請求項３に記載の医薬組成物。
【請求項６】
前記ＮＲＰがＡ１ＡＴｍ358またはその塩であり、前記Ａ１ＡＴｍ358またはその塩のアミノ酸配列が、配列番号：３のアミノ酸配列に対して少なくとも８０％同一である、請求項３に記載の医薬組成物。
【請求項７】
前記ＮＲＰが、ＨＴＲＡ１−ＣＦまたはその塩であり、前記ＨＴＲＡ１−ＣＦのアミノ酸配列またはその塩が、配列番号：４のアミノ酸配列に対して少なくとも８０％同一である、請求項３に記載の医薬組成物。
【請求項８】
前記ＣＲＩＳＰＰ、Ａ１ＡＴ358、またはＨＴＲＡ１−ＣＦのうちの少なくとも１つのアミノ酸が化学修飾剤に結合しており、前記化学修飾剤が脂質、ポリエチレングリコール（ＰＥＧ）または糖類のうちの少なくとも１つから選択される、請求項４に記載の医薬組成物。
【請求項９】
前記ＣＲＩＳＰＰ、Ａ１ＡＴ358、またはＨＴＲＡ１−ＣＦが天然起源のものでない、請求項４に記載の医薬組成物。
【請求項１０】
前記ＣＲＩＳＰＰ、Ａ１ＡＴ358、またはＨＴＲＡ１−ＣＦが、好中球細胞外トラップ（ＮＥＴ）形成を実質的に阻害するのに有効な量で存在する、請求項４に記載の医薬組成物。
【請求項１１】
前記がんが、黒色腫、卵巣癌、胃癌、または肺癌のうちの少なくとも１つである、請求項１〜１０のいずれか１項に記載の医薬組成物。
【請求項１２】
前記医薬組成物が好中球細胞外トラップ（ＮＥＴ）の形成を実質的に阻害する、請求項１〜１１のいずれか１項に記載の医薬組成物。
【請求項１３】
ヒト用の医薬組成物である、請求項１〜１２のいずれか１項に記載の医薬組成物。
【請求項１４】
がんの転移を阻害するか又はがんの転移リスクを低減するための医薬を製造するための、ＮＥＴ阻害ペプチド（ＮＩＰ）の使用。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
融合タンパク質および抗化学忌避剤を含む医薬組成物であって、
前記融合タンパク質は、癌細胞結合構成要素およびストレスタンパク質構成要素を含む、
医薬組成物。
【請求項２】
請求項１の組成物であって、
抗原提示細胞をさらに含む、
組成物。
【請求項３】
請求項２の組成物であって、
前記抗原提示細胞は、樹状細胞である、
組成物。
【請求項４】
請求項１から３のいずれか一項の組成物であって、
前記抗化学忌避剤は、ＡＭＤ３１００またはその誘導体、ＡＭＤ１１０７０、ＡＭＤ１２１１８、ＡＭＤ１１８１４、ＡＭＤ１３０７３、ＦＡＭＤ３４６５、Ｃ１３１、ＢＫＴ１４０、ＣＴＣＥ−９９０８、ＫＲＨ−２７３１、ＴＣ１４０１２、ＫＲＨ−３９５５、ＢＭＳ−９３６５６４／ＭＤＸ−１３３８、ＬＹ２５１０９２４、ＧＳＫ８１２３９７、ＫＲＨ−１６３６、Ｔ−２０、Ｔ−２２、Ｔ−１４０、ＴＥ−１４０１１、Ｔ−１４０１２、ＴＮ１４００３、ＴＡＫ−７７９、ＡＫ６０２、ＳＣＨ−３５１１２５、タンニン酸、ＮＳＣ  ６５１０１６、サリドマイド、ＧＦ  １０９２３０Ｘ、化学忌避ケモカインの二量体化と干渉する抗体、および、化学忌避ケモカインに関する受容体の二量体化と干渉する抗体からなる群より選択される、
組成物。
【請求項５】
請求項４の組成物であって、
前記抗化学忌避剤は、ＡＭＤ３１００である、
組成物。
【請求項６】
請求項１から５のいずれか一項の組成物であって、
前記ストレスタンパク質は、ＨＳＰ７０またはその免疫活性化フラグメントおよび／または改変配列である、
組成物。
【請求項７】
請求項６の組成物であって、
前記のＨＳＰ７０またはその免疫活性化フラグメントおよび／または改変配列は、Ｍｙｃｏｂａｃｔｅｒｉｕｍ  ｔｕｂｅｒｃｕｌｏｓｉｓ由来である、
組成物。
【請求項８】
請求項１から７のいずれか一項の組成物であって、
前記癌細胞結合構成要素は、単鎖抗体、可変ドメイン、または、Ｆａｂドメインである、
組成物。
【請求項９】
請求項１から８のいずれか一項の組成物であって、
前記癌細胞結合構成要素は、メソテリン、アルファフェトプロテイン、ＣＥＡ、ＣＡ−１２５、ＭＵＣ−１、Ｈｅｒ２Ｎｅｕ、ＥＴＡ、ＮＹ−ＥＳＯ−１、ＶＥＧＦ、ＶＥＧＦＲ１、ＶＥＧＦＲ２、ＰＳＭＡ、前立腺特異的抗原、ＨＰＶ１７Ｅ７、突然変異体ｐ５３、ｓｕｒｖｉｖｉｎｇ、ｒａｓ、ＭＡＧＥ、ｇｐ１００、チロシナーゼ、ＷＴ１、ＰＲ１、葉酸結合タンパク質、ＣＡ−１９−９、ＦＡＰ、Ｇ２５０、およびＡ３３からなる群より選択されるタンパク質に特異的である、
組成物。
【請求項１０】
請求項９の組成物であって、
前記抗体は、メソテリンに特異的である、
組成物。
【請求項１１】
請求項１０の組成物であって、
前記融合タンパク質は、配列番号１または配列番号２のペプチド配列と少なくとも８５％の配列相同性を有するペプチドを含む、
組成物。
【請求項１２】
請求項１１の組成物であって、
前記融合タンパク質は、配列番号２のペプチド配列を含む、
組成物。
【請求項１３】
請求項１から１２のいずれか一項の組成物であって、
注入のために製剤化される、
組成物。
【請求項１４】
請求項１から１３のいずれか一項の組成物であって、
薬学的に許容できる賦形剤をさらに含む、
組成物。
【請求項１５】
患者における癌の治療のためのパーツのキットであって、
前記キットは、治療的に有効量の抗化学忌避剤、および、癌細胞結合構成要素およびストレスタンパク質構成要素を含む融合タンパク質を含み、
前記癌細胞結合構成要素は、前記癌によって発現される抗原を認識する、
パーツのキット。
【請求項１６】
請求項１５のパーツのキットであって、
前記抗化学忌避剤は、ＡＭＤ３１００またはその誘導体、ＡＭＤ１１０７０、ＡＭＤ１２１１８、ＡＭＤ１１８１４、ＡＭＤ１３０７３、ＦＡＭＤ３４６５、Ｃ１３１、ＢＫＴ１４０、ＣＴＣＥ−９９０８、ＫＲＨ−２７３１、ＴＣ１４０１２、ＫＲＨ−３９５５、ＢＭＳ−９３６５６４／ＭＤＸ−１３３８、ＬＹ２５１０９２４、ＧＳＫ８１２３９７、ＫＲＨ−１６３６、Ｔ−２０、Ｔ−２２、Ｔ−１４０、ＴＥ−１４０１１、Ｔ−１４０１２、ＴＮ１４００３、ＴＡＫ−７７９、ＡＫ６０２、ＳＣＨ−３５１１２５、タンニン酸、ＮＳＣ  ６５１０１６、サリドマイド、ＧＦ  １０９２３０Ｘ、化学忌避ケモカインの二量体化と干渉する抗体、および、化学忌避ケモカインに関する受容体の二量体化と干渉する抗体からなる群より選択される、
パーツのキット。
【請求項１７】
請求項１５のパーツのキットであって、
前記抗化学忌避剤は、ＡＭＤ３１００である、
パーツのキット。
【請求項１８】
請求項１５から１７のいずれか一項のパーツのキットであって、
前記ストレスタンパク質は、ＨＳＰ７０またはその免疫活性化フラグメントおよび／または改変配列である、
パーツのキット。
【請求項１９】
請求項１８のパーツのキットであって、
前記のＨＳＰ７０またはその免疫活性化フラグメントおよび／または改変配列は、Ｍｙｃｏｂａｃｔｅｒｉｕｍ  ｔｕｂｅｒｃｕｌｏｓｉｓ由来である、
パーツのキット。
【請求項２０】
請求項１５から１９のいずれか一項のパーツのキットであって、
前記癌細胞結合構成要素は、単鎖抗体、可変ドメイン、または、Ｆａｂドメインである、
パーツのキット。
【請求項２１】
請求項１５から２０のいずれか一項のパーツのキットであって、
前記融合タンパク質は、配列番号１または配列番号２のペプチド配列と少なくとも８５％の配列相同性を有するペプチドを含む、
パーツのキット。
【請求項２２】
請求項２１のパーツのキットであって、
前記融合タンパク質は、配列番号２のペプチド配列を含む、
パーツのキット。
【請求項２３】
請求項１５から２２のいずれか一項のパーツのキットであって、
前記融合タンパク質および／または前記抗化学忌避剤は、注入のために製剤化される、
パーツのキット。
【請求項２４】
請求項１５から２３のいずれか一項のパーツのキットであって、
前記融合タンパク質および前記抗化学忌避剤は、同一の製剤内である、
パーツのキット。
【請求項２５】
請求項１５から２４のいずれか一項のパーツのキットであって、
前記癌を治療するための指示書をさらに含む、
パーツのキット。
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
配列番号１６、１７、１８、２０、２１、２２、２４、２５、３０、３７、４１、４３、４７、５１、５５、５８、６２及び６７からなる群から選択されるアミノ酸配列を有する少なくとも１つのポリペプチドを含む、骨再生または骨形成促進用の組成物。
【請求項２】
前記配列番号１７、１８、２０、２２、２４、２５、３０、３７、４３、４７、５１、５５、５８、６２及び６７の第１アミノ酸はリジンに置換されており、前記配列番号２１の第１アミノ酸はアルギニンに置換されている、請求項１に記載の組成物。
【請求項３】
少なくとも２つの前記ポリペプチドが互いに結合されている、請求項１又は２に記載の組成物。
【請求項４】
前記ポリペプチドのＮまたはＣ−末端は、非反応性基で置換されたものである、請求項１又は２に記載の組成物。
【請求項５】
骨消失によって骨密度の増加が必要な疾患の治療または予防に用いられ、前記疾患は、骨折、歯槽骨再生、関節成形術、脊椎癒合または骨嚢胞を含むものである、請求項１又は２に記載の組成物。
【請求項６】
前記ポリペプチドは、薬学組成物の形態で提供されるものである、請求項１又は２に記載の組成物。
【請求項７】
骨消失によって骨密度の増加が必要な疾患の治療または予防に用いられ、前記疾患は、骨折、歯槽骨再生、関節成形術、脊椎癒合または骨嚢胞を含むものである、請求項６に記載の組成物。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
正常眼圧緑内障を有する患者において眼内圧を降下させる方法における使用のための、式（Ｉ）
Ｒ−Ｘ−Ｙ−ＯＮＯ２      （Ｉ）
［式中、
Ｒは、式（ＩＩ）：
【化１１】
2019534296.tif 000001
（式中、記号
【化１２】
2019534296.tif 000002
は、単結合を表わし、
Ｌは、
【化１３】
2019534296.tif 000003
である）
で示されるプロスタグランジン残基であり、
Ｘは、−Ｏ−であり、
Ｙは、下記意味：
− 直鎖又は分岐鎖Ｃ１〜Ｃ１０アルキレン
を有する二価の基である］
で示される化合物又はその薬学的に許容し得る塩もしくは立体異性体を含む医薬組成物。
【請求項２】
プロスタグランジン残基Ｒが、ラタノプロストである、請求項１記載の医薬組成物。
【請求項３】
式（Ｉ）で示される化合物が、
【化１４】
2019534296.tif 000004
からなる群より選択される、請求項１又は２記載の医薬組成物。
【請求項４】
式（Ｉ）で示される化合物が、化合物（１）
【化１５】
2019534296.tif 000005
である、請求項１記載の医薬組成物。
【請求項５】
眼科的に許容し得る賦形剤を含む眼科用医薬製剤である、請求項１〜４のいずれか一項記載の医薬組成物。
【請求項６】
ベータブロッカー、炭酸脱水酵素阻害剤及びアドレナリンアゴニストからなる群より選択される更なる有効成分を含む、請求項１〜３のいずれか一項記載の医薬組成物。
【請求項７】
ベータブロッカー、炭酸脱水酵素阻害剤及びアドレナリンアゴニストからなる群より選択される更なる有効成分を含む、請求項４記載の医薬組成物。
【請求項８】
眼科的に許容し得る賦形剤を含む眼科用医薬製剤である、請求項６又は７記載の医薬組成物。
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
鋳造用ゾルの重合生成物を含む成形ゲル物品であって、前記鋳造用ゾルは、重合の間に鋳型キャビティ内に配置されており、前記成形ゲル物品は、前記鋳型キャビティから取り出す際に、前記鋳型キャビティ（前記鋳型キャビティが過充填された領域を除く）と同一のサイズ及び形状の両方を保持し、前記鋳造用ゾルは、
ａ）前記鋳造用ゾルの総重量に基づいて、２〜６５重量％の表面改質シリカ粒子であって、前記表面改質シリカ粒子は、１００ｎｍ以下の平均粒子径を有するシリカ粒子と、ラジカル重合性基を有するシラン改質剤を含む表面改質剤組成物との反応生成物を含み、前記表面改質シリカ粒子は、５０〜９９重量％がシリカであり、前記鋳造用ゾルは、５０重量％以下のシリカを含有する、表面改質シリカ粒子と、
ｂ）前記鋳造用ゾルの総重量に基づいて、０〜４０重量％の重合性材料であって、シリル基を含有しない、重合性材料と、
ｃ）前記鋳造用ゾルの総重量に基づいて、０．０１〜５重量％のラジカル開始剤と、
ｄ）前記鋳造用ゾルの総重量に基づいて、３０〜９０重量％の有機溶媒媒体であって、前記表面改質組成物、前記重合性材料、及び前記ラジカル開始剤が、前記有機溶媒媒体中に可溶性である、有機溶媒媒体と
を含む、成形ゲル物品。
【請求項２】
前記有機溶媒媒体の少なくとも５０重量％が、１５０℃以上の沸点を有する有機溶媒を含む、請求項１に記載の成形ゲル物品。
【請求項３】
請求項１又は２に記載の成形ゲル物品から超臨界抽出により前記有機溶媒媒体を除去することによって形成される生成物を含む、エアロゲル。
【請求項４】
焼結物品の製造方法であって、
ａ）鋳型キャビティを有する鋳型を用意することと、
ｂ）
１）前記鋳造用ゾルの総重量に基づいて、２〜６５重量％の表面改質シリカ粒子であって、前記表面改質シリカ粒子は、１００ｎｍ以下の平均粒子径を有するシリカ粒子と、ラジカル重合性基を有するシラン改質剤を含む表面改質剤組成物との反応生成物を含み、前記表面改質シリカ粒子は、５０〜９９重量％がシリカであり、前記鋳造用ゾルは、５０重量％以下のシリカを含有する、表面改質シリカ粒子と、
２）前記鋳造用ゾルの総重量に基づいて、０〜４０重量％の重合性材料であって、シリル基を含有しない、重合性材料と、
３）前記鋳造用ゾルの総重量に基づいて、０．０１〜５重量％のラジカル開始剤と、
４）前記鋳造用ゾルの総重量に基づいて、３０〜９０重量％の有機溶媒媒体であって、前記表面改質組成物、前記重合性材料、及び前記ラジカル開始剤が、前記有機溶媒媒体中に可溶性である、有機溶媒媒体と
を含む鋳造用ゾルを、前記鋳型キャビティ内に配置することと、
ｃ）前記鋳造用ゾルを重合して、前記鋳型キャビティと接触している成形ゲル物品を形成することと、
（ｄ）前記有機溶媒媒体を除去することによって、乾燥した成形ゲル物品を形成することと、
（ｅ）前記成形ゲル物品又は前記乾燥した成形ゲル物品のいずれかを前記鋳型キャビティから取り外すことと、
（ｆ）前記乾燥した成形ゲル物品を加熱して、焼結物品を形成することと
を含み、
前記焼結物品が、前記鋳型キャビティ（前記鋳型キャビティが過充填された領域を除く）及び前記成形ゲル物品と同一の形状を有するが、等方性収縮の量に比例してサイズが縮小している、製造方法。
【請求項５】
請求項４に記載の方法によって形成された、焼結物品。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ポーションカプセルから淹出飲料を調製するための淹出モジュールであって、
・第１の淹出モジュールパーツ（３）と第２の淹出モジュールパーツ（４）とを備え、前記第２の淹出モジュールパーツ（４）は、前記第１の淹出モジュールパーツ（３）に対して、第１の淹出モジュールパーツ位置と第２の淹出モジュールパーツ位置との間で移動可能であり、
○前記第２の淹出モジュールパーツ（４）の前記第１の淹出モジュールパーツ（３）に対する移動は、伝動機構を介して手動式または電動式の駆動装置によって駆動可能であり、
○前記第２の淹出モジュールパーツ位置では、淹出手順中に淹出位置に配置された前記ポーションカプセル（１０）を少なくとも部分的に取り囲む淹出チャンバが形成され、前記淹出モジュールは、淹出用流体を前記ポーションカプセル内に導入することによって淹出飲料を淹出し、前記淹出飲料を前記ポーションカプセルから吐出するように構成され、前記淹出モジュールはさらに、
・カプセル認識位置に位置する前記ポーションカプセル（１０）の光学特性を検出するための光学センサと、前記カプセル認識位置と前記光学センサとの間の透明材料の窓要素とを有するカプセル認識装置（５）を備え、
空気流を生成するための機械的に駆動可能な送風装置（６０）によって特徴付けられ、前記送風装置は、前記駆動装置または前記伝動機構によって生じる前記淹出モジュールの要素の相対的移動によって駆動されることによって、前記カプセル認識位置に向かう前記窓要素の側で空気流を生成するように構成される、淹出モジュール。
【請求項２】
前記送風装置（６０）は、有効容積が間に形成される第１の送風装置要素と第２の送風装置要素とを含み、前記有効容積は前記第１の送風装置要素と前記第２の送風装置要素との相対的移動によって増減でき、前記有効容積は少なくとも１つの空気接続（６３、６４）に接続され、前記第１の送風装置要素および前記第２の送風装置要素が互いに対して動かされると、前記少なくとも１つの空気接続を通して空気が前記有効容積に吸引されるかまたは前記有効容積から空気が吹き出される、請求項１に記載の淹出モジュール。
【請求項３】
２つの空気接続を備え、第１の空気接続（６３）は空気流が前記有効容積に入ることを許すのみである第１の弁を設けられるかまたはそれに接続され、第２の空気接続（６４）は空気流が前記有効容積から出ることを許すのみである第２の弁を設けられるかまたはそれに接続される、請求項２に記載の淹出モジュール。
【請求項４】
前記第１の空気接続（６３）は吸気チューブ（６５）に接続され、前記第２の空気接続（６４）は前記窓要素に通じる接続チューブ（６６）に接続可能である、請求項３に記載の淹出モジュール。
【請求項５】
前記第１の送風装置要素はシリンダ（６１）であり、前記第２の送風装置要素は、前記シリンダ（６１）において変位可能であり、前記シリンダにおける移動によって前記有効容積を増減するピストン（６２）である、請求項２〜４のいずれか１項に記載の淹出モジュール。
【請求項６】
前記駆動装置は機械的駆動装置であり、前記駆動装置は、第１の操作要素位置と第２の操作要素位置との間で手動で移動可能である操作要素（６）を含む、請求項１〜５のいずれか１項に記載の淹出モジュール。
【請求項７】
前記送風装置（６０）は、前記操作要素に配置される第１の連結点と、例えばハウジングに関して固定される第２の連結点との間に配置される、請求項６に記載の淹出モジュール。
【請求項８】
前記操作要素を前記第１の位置から前記第２の位置に移動させることによって前記淹出モジュールに結合されるエネルギーを中間的に貯蔵し、開放によって起動されると、それを前記第１の淹出モジュールパーツ位置から前記第２の淹出モジュールパーツ位置への運動に再び変換するよう構成される、エネルギー貯蔵部（７）を備える、請求項６または７に記載の淹出モジュール。
【請求項９】
前記送風装置（６０）は前記エネルギー貯蔵部（７）と平行に配置される、請求項８に記載の淹出モジュール。
【請求項１０】
前記カプセル認識位置は前記淹出位置の上方にある、請求項１〜９のいずれか１項に記載の淹出モジュール。
【請求項１１】
給水部、ポンプ（９２）および水加熱手段（９３）と、請求項１〜１０のいずれか１項に記載の淹出モジュールとを備える、特にコーヒーマシンである、飲料調製機。
【請求項１２】
前記送風装置は２つの空気接続（６３、６４）を含み、そのうちの第１の空気接続（６３）は吸気チューブ（６５）に接続され、前記吸気チューブ（６５）は、前記水加熱手段で生じる廃熱を利用するために、前記水加熱手段（９３）の環境から前記送風装置に至る、請求項１１に記載の飲料調製機。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
医療用インプラント・デバイスの抗菌性表面を製造する方法であって、
半導体基板上でフォトレジスト層を半導体基板上でパターン形成することと、
前記基板をエッチングして複数のナノピラーを生成することと、
前記フォトレジスト層を前記基板から除去することと、
前記複数のナノピラーを生体適合性膜で覆うことと
を含む、方法。
【請求項２】
医療用インプラント・デバイスの抗菌性構造体を製造する方法であって、
半導体基板上でフォトレジスト層を半導体基板上でパターン形成することと、
金属層を前記構造体上に金属層を付着成膜することと、
前記フォトレジスト層、および前記金属層の一部を前記構造体から除去して、パターン形成された金属層を作製することと、
前記パターン形成された金属層の下の前記基板をエッチングして、複数のナノピラーを生成することと、
前記パターン形成された金属層を前記構造体から除去することと
を含む、方法。
【請求項３】
前記複数のナノピラーを生体適合性膜で覆うことをさらに含む、請求項２に記載の方法。
【請求項４】
前記複数のナノピラーの各々が、１ナノメートル〜２００ナノメートルの範囲の柱の上面直径を有する、請求項１〜３のいずれか一項に記載の方法。
【請求項５】
前記複数のナノピラーの各々が、１ナノメートル〜１マイクロメートルの範囲の柱の底面直径を有する、請求項１〜３のいずれか一項に記載の方法。
【請求項６】
前記複数のナノピラーが、１００ナノメートル〜１０マイクロメートルの範囲の平均高さを有する、請求項１〜３のいずれか一項に記載の方法。
【請求項７】
前記複数のナノピラーが、１００ナノメートル〜２マイクロメートルの範囲の平均ピッチで前記表面上で間隔を空けて置かれる、請求項１〜３のいずれか一項に記載の方法。
【請求項８】
前記生体適合性膜がチタンを含む、請求項１〜３のいずれか一項に記載の方法。
【請求項９】
前記生体適合性膜が、チタンおよび窒化チタンから成るグループから選択される、請求項８に記載の方法。
【請求項１０】
複数のナノ構造を備えている薄いシリコン・リボンを生成することをさらに含む、請求項１〜３のいずれか一項に記載の方法。
【請求項１１】
前記薄いシリコン・リボンを生成することが、
引張層を前記複数のナノピラーに適用して、前記基板内に裂け目を生じさせることと、
前記基板の前記裂け目で前記複数のナノピラーを前記基板から分離することであって、前記複数のナノピラーが前記薄いシリコン・リボンの表面上にあることと
を含む、請求項１０に記載の方法。
【請求項１２】
前記薄いシリコン・リボンを前記医療用インプラント・デバイスに適用することをさらに含む、請求項１０に記載の方法。
【請求項１３】
前記金属層が、金、銀、白金、パラジウム、および銅から成るグループから選択された導電性金属を含むんでいる、請求項２に記載の方法。
【請求項１４】
医療用インプラント手術に関連する細菌感染を防ぐためのシステムであって、
複数のナノピラーおよびシリコン・ベースを含むんでいるシリコン膜を備えており、
前記複数のナノピラーの各々が、１ナノメートル〜２００ナノメートルの範囲の柱の上面直径を有しており、
前記複数のナノピラーの各々が、１ナノメートル〜１マイクロメートルの範囲の柱の底面直径を有しており、
前記複数のナノピラーが、１００ナノメートル〜１０マイクロメートルの範囲の平均高さを有しており、
前記複数のナノピラーが、前記シリコン膜上で、１００ナノメートル〜２マイクロメートルの範囲内の平均ピッチで間隔を空けて置かれている、システム。
【請求項１５】
生体適合性膜をさらに備える、請求項１４に記載のシステム。
【請求項１６】
前記シリコン・ベースが１００マイクロメートル以下の厚さを有する、請求項１４に記載のシステム。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
マーキング組成物であって、
前記組成物の約１０重量％から約９０重量％までの量の、ジオールとジカルボン酸との反応生成物である縮合重合体と、
前記組成物の約２０重量％から約８０重量％までの量の、１０個から２４個までの炭素原子を含む１種類以上の脂肪酸、またはそれらのエステルと、
前記組成物の約１重量％から約１５重量％までの量の、着色剤とを含み、
前記重合体は３５から６５までのショアＤ硬度値を有する、
上記マーキング組成物。
【請求項２】
前記重合体は、前記組成物の約２０重量％から約８０重量％までを構成する、請求項１に記載のマーキング組成物。
【請求項３】
前記ジオールおよび前記ジカルボン酸は、それぞれ、２個ないし１４個の炭素原子を含む、請求項１に記載のマーキング組成物。
【請求項４】
前記重合体は、ポリ（ブチレンアジペート）、ポリ（へキシレンスクシネート）およびポリ（プロピレンアジペート）からなる群から選択される、請求項１に記載のマーキング組成物。
【請求項５】
前記重合体は、約５０００ダルトンから約１５，０００ダルトンまでの重量平均分子量と、約４０Ｃから約７５Ｃまでの融点とを有する、請求項１に記載のマーキング組成物。
【請求項６】
前記組成物は、１４個から１８個の炭素原子を含む１種類以上の脂肪酸、またはそれらのエステルを、前記組成物の約２０重量％から約８０重量％までの量で含む、請求項１に記載のマーキング組成物。
【請求項７】
前記１種類以上の脂肪酸が、完全に飽和された脂肪酸を含んでなる請求項１に記載のマーキング組成物。
【請求項８】
前記１種類以上の脂肪酸は、約１００ダルトンから約４００ダルトンまでの重量平均分子量を有する、請求項１に記載のマーキング組成物。
【請求項９】
着色剤が無機顔料である請求項１に記載のマーキング組成物。
【請求項１０】
前記着色剤は、約０．１ミクロンから約２５ミクロンまでの平均粒子サイズを有する顔料である、請求項１に記載のマーキング組成物。
【請求項１１】
前記着色剤は植物または野菜に由来する、請求項１に記載のマーキング組成物。
【請求項１２】
さらに、錆止め剤、腐食防止剤、フィラー、均染剤、粘性調整剤、乾燥剤、可塑剤、抑泡剤、離型剤および重合体安定化剤からなる群から選択される１種類以上の添加剤を含む、請求項１に記載のマーキング組成物。
【請求項１３】
請求項１〜１２のいずれかに記載のマーキング組成物を含む筆記具であって：
該筆記具は、クレヨン、ワックスパステル、グリースペンシル、水溶性クレヨン、カラーインキマーカー、カラ―チャーコール、および、チョークからなる群から選択される、筆記具。
【請求項１４】
前記筆記具はクレヨンである、請求項１３に記載の筆記具。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
ｉ）少なくとも１種のブテン−１（コ）ポリマー；
ｉｉ）少なくとも１種の液体粘着付与剤；
ｉｉｉ）少なくとも１種の固体粘着付与剤；
ｉｖ）少なくとも１種のスチレンコポリマー
ｖ）任意に、ｉ）及びｉｖ）とは異なる少なくとも１種のさらなる（コ）ポリマー；
ｖｉ）任意に、少なくとも１種の添加剤；
を含む感圧接着剤組成物。
【請求項２】
前記少なくとも１種のブテン−１（コ）ポリマーは、前記ブテン−１（コ）ポリマーを基準として、８５〜１００モル％のブテン−１を含む、請求項１に記載の感圧接着剤組成物。
【請求項３】
前記少なくとも１種の液体（２５℃で）粘着付与剤ｉｉ）は、１４０℃における粘度が１５〜４０Ｐａ*ｓである、請求項２に記載の感圧接着剤組成物。
【請求項４】
前記少なくとも１種の固体（２５℃で）粘着付与剤ｉｉｉ）は、１４０℃における粘度が０．５〜５Ｐａ*ｓである、請求項１〜３のいずれかに記載の感圧接着剤組成物。
【請求項５】
１４０℃において０．５〜５Ｐａ*ｓの粘度を有する少なくとも２種の固体粘着付与剤ｉｉｉ）を組成物中に含む、請求項４に記載の感圧接着剤組成物。
である
【請求項６】
ｉ）及びｉｖ）とは異なる前記少なくとも１種のさらなるポリマーは、オレフィン（コ）ポリマーを含む、請求項１〜５のいずれかに記載の感圧接着剤組成物。
【請求項７】
前記少なくとも１種の添加剤は、可塑剤；ワックス；安定剤；および改質剤；酸化防止剤またはこれらの混合物から選択される化合物を含む、請求項１〜６のいずれかに記載の感圧接着剤組成物。
【請求項８】
２００℃における粘度が、３００〜２，０００Ｐａ*ｓである、請求項１〜７のいずれかに記載の感圧接着剤組成物。
【請求項９】
２つの基材の間における厚さ２０μｍの接着剤層として用いられる場合の組成物は、２つの基材を互いに剥離する場合に、５〜８Ｎ／１５ｍｍの接着力を有し、かつ、再度２つの基材を共にプレスした後に、０．５〜２Ｎ／１５ｍｍの接着力を有する、請求項１〜８のいずれかに記載の感圧接着剤組成物。
【請求項１０】
感圧接着剤組成物の総重量を基準として、
３５〜７４重量％のｉ）；
５〜５０重量％のｉｉ）；
１０〜５０重量％のｉｉｉ）；
３〜４０重量％のｉｖ）；
０〜３０重量％のｖ）；及び
０〜３０重量％のｖｉ）
を含む請求項１〜９のいずれかに記載の感圧接着剤組成物。
【請求項１１】
食品用の包装ユニット、電子レンジまたはオーブンで加熱される包装ユニットの閉鎖手段、薬剤、衛生用ティッシュー、洗浄用ティッシュー、または化粧品用ティッシューの包装ユニットの閉鎖手段としての請求項１〜１０のいずれかに記載の感圧接着剤組成物の使用。
【請求項１２】
２つの基材の間の接着剤層としての、請求項１〜１０のいずれかに記載の感圧接着剤組成物を含む、物品。
【請求項１３】
包装ユニットである、請求項１２に記載の物品。
【請求項１４】
薬剤、衛生用ティッシュー、洗浄用ティッシュー、又は化粧品用ティッシューの包装ユニットである請求項１２に記載の物品。
【請求項１５】
下記の工程
ｉ）ブローフィルムヘッドを介して、請求項１〜１０のいずれかに記載の感圧接着剤組成物のフィルムを形成する工程；
ｉｉ）工程ｉ）で形成されたフィルムを中間層として、さらに２つの層と接触させる工程
を含む、請求項１２〜１４のいずれかに記載の物品の製造方法。
【手続補正２】
【補正対象書類名】明細書
【補正対象項目名】００２４
【補正方法】変更
【補正の内容】
【００２４】
１０．
前記スチレンコポリマーは、前記スチレンコポリマーの総重量を基準として、スチレンを８〜１２重量％含むスチレンブロックコポリマーであり、および／または、前記スチレンコポリマーは、スチレン−ブタジエン−スチレン（ＳＢＳ）、スチレン−エチレン−プロピレン（ＳＥＰ）、スチレン−イソプレン−スチレン（ＳＩＳ）、スチレン−エチレン／ブチレン−スチレン（ＳＥＢＳ）、およびスチレン−イソプレン／ブタジエン−スチレン（ＳＩＢＳ）コポリマーから選択される、さらに好ましくは、これらのスチレンコポリマーはブロックコポリマー、さらにいっそう好ましくはＳＩＳブロックコポリマー、最も好ましくは星型ＳＩＳブロックコポリマーである、項１〜９のいずれかに記載の感圧接着剤組成物。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
バインダーと、
ａ）ポリマーであって、
ｉ）１５〜６５ｗｔ％の、式（Ｉ）、式（ＩＩ）、又はこれらの混合物の第１のモノマー単位、
【化１】
2020513434.tif 000001
【化２】
2020513434.tif 000002
ｉｉ）３０〜８５ｗｔ％の、式（ＩＩＩ）の第２のモノマー単位、及び
【化３】
2020513434.tif 000003
ｉｉｉ）０〜４０ｗｔ％の、式（ＩＶ）の第３のモノマー単位
【化４】
2020513434.tif 000004
（式中、各Ｒ１は、独立に、水素又はアルキル基であり、式（Ｉ）〜（ＩＶ）中の各アスタリスク（＊）は、ポリマー材料中の別のモノマー単位への、又は末端基への結合部位を示す）を含むポリマー、及び、
ｂ）前記ポリマー材料に組み込まれた二価金属であって、前記ポリマー材料１グラム当たり少なくとも１．５ｍｍｏｌの量で存在する、二価金属を含む、金属含有ポリマー材料と、
を含む複合顆粒。
【請求項２】
前記ポリマー材料中に組み込まれる前記二価金属の量が、前記ポリマー材料１ｇ当たり１．５〜１５ｍｍｏｌの範囲内である、請求項１に記載の複合顆粒。
【請求項３】
前記バインダーが、ケイ酸塩を含む、請求項１に記載の複合顆粒。
【請求項４】
請求項１〜３のいずれか一項に記載の複合顆粒を準備することと、
前記複合顆粒を前記塩基性窒素含有化合物の蒸気に曝露することと、を含み、
前記塩基性窒素含有化合物が、前記複合顆粒中の前記金属含有ポリマー材料の前記二価金属と反応して、金属錯体を形成する、塩基性窒素含有化合物を捕捉する方法。
【請求項５】
前記複合顆粒を前記塩基性窒素含有化合物に曝露すると、前記複合顆粒が色を変化させる、請求項４に記載の方法。
【誤訳訂正書】
【提出日】令和2年10月16日(2020.10.16)
【誤訳訂正１】
【訂正対象書類名】特許請求の範囲
【訂正対象項目名】請求項１
【訂正方法】変更
【訂正の内容】
【請求項１】
水溶性であることが好ましい極性ポリマーを含有し、及びテトラエトキシシランのようなテトラアルコキシシラン、及び正電荷の表面を有する変性シリカナノ粒子をさらに含有する、コーティング組成物。
【誤訳訂正２】
【訂正対象書類名】特許請求の範囲
【訂正対象項目名】請求項１０
【訂正方法】変更
【訂正の内容】
【請求項１０】
前記段階（ａ）において用意された基材が、透明ガラス、透明ポリマーシート、透明ポリマーフィルムのような光学的基材、並びに金属基材及び金属フィルムで被覆された基材から選択される、請求項８に記載の方法。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ポーションパッケージ（３）の使用中に合計製品を作製するための飲料準備マシン（１）の動作のための方法であって、前記飲料準備マシン（１）は、無線通信のために設計されている通信ユニット（１５）を含んでおり、前記方法は少なくとも、前記飲料準備マシン（１）によって行なわれる、
・前記通信ユニット（１５）によって、前記飲料準備マシンにおいてあるアクションをアクティベートするためのアクティベーションコマンドと、認証情報とを受信するための受信ステップ（８１）と、
・前記認証情報に基づいて、前記飲料準備マシン（１）において前記あるアクションをアクティベートすることについて、特に、作製のリモートアクティベーションについて承認されている動作機器（４ａ，４ｂ，４ｃ）から前記アクティベーションコマンドが生じているかどうかを検討するための検討ステップ（８２）と、
前記動作機器がこれについて承認されている場合にのみ、
・前記合計製品を作製するために特に作製ステップ（８５）といった前記アクションを行なうステップとを含む、方法。
【請求項２】
前記飲料準備マシン（１）は、いくつかの動作機器（４ａ，４ｂ，４ｃ）との無線通信のために構成可能であり、異なる承認がこれらの動作機器に割り当てられており、前記飲料準備マシン（１）のアクションは、動作機器（４）に割り当てられる承認に従って、この動作機器（４）によってアクティベート可能であるか、または、アクティベート可能ではない、請求項１に記載の方法。
【請求項３】
前記検討ステップ（８２）は、前記飲料準備マシン（１）において行なわれる、
・前記認証情報に基づき、前記認証情報に割り当てられる承認を決定するステップと、
・この承認が、特に作製の前記リモートアクティベーションの前記あるアクションの前記アクティベーションを許可するかどうか検討するステップとを含む、請求項２に記載の方法。
【請求項４】
少なくとも１つの上位承認および少なくとも１つの下位承認が前記飲料準備マシン（１）に格納されており、前記飲料準備マシン（１）は、前記飲料準備マシン（１）のアクチュエータによりマシンアクションを行なうために設計されており、
・前記上位承認のみが、特に作製ステップといった少なくとも１つのマシンアクションがアクティベートされることが許可されることを含んでおり、
・前記下位承認は、特に作製ステップといったマシンアクションが、アクティベートされることが許可されないことを含む、請求項２〜３のいずれか１項に記載の方法。
【請求項５】
さらに、少なくとも１つの中間承認が前記飲料準備マシン（１）において格納可能であり、
・前記上位承認のみが、中間承認を新しく作成するためのアクション、または、前記中間承認を変更するためのアクションがアクティベートされることが許可されることを含んでおり、
・前記中間承認が、特に作製ステップといった少なくとも１つのマシンアクションがアクティベートされることを許可されることを含む、請求項４に記載の方法。
【請求項６】
中間承認を作成する際に、この中間承認は、割り当てられた認証情報と一緒に前記飲料準備マシン（１）に格納される、請求項５に記載の方法。
【請求項７】
第２の動作機器（４ｂ）のための中間承認の作成は、第１の動作機器（４ａ）によって実行され、
・前記第１の動作機器（４ａ）が、前記飲料準備マシン（１）およびその通信ユニット（１５）とそれぞれ通信し、前記飲料準備マシン（１）において中間承認の作成をアクティベートし、前記飲料準備マシン（１）において、基本認証情報がこの中間承認に割り当てられるステップと、
・前記第１の動作機器（４ａ）が、前記第２の動作機器（４ｂ）にリモート認証情報を送信し、前記リモート認証情報が、前記飲料準備マシン（１）に格納される前記基本認証情報に基づいて、前記第２の動作機器（４ｂ）が前記飲料準備マシン（１）において自身を認証することを許可するステップとが実行される、請求項６に記載の方法。
【請求項８】
前記第１の動作機器（４ａ）が前記第２の動作機器（４ｂ）に前記リモート認証情報を送信する第２の通信媒体が、前記第１の動作機器（４ａ）が前記飲料準備マシン（１）と通信する第１の通信媒体とは異なる、請求項７に記載の方法。
【請求項９】
特に、前記第１の動作機器（４ａ）は、
・前記第１の動作機器（４ａ）のディスプレイ上で文字列を表示し、前記第２の動作機器（４ｂ）においてこのコードを手動で入力することと、
・前記第１の動作機器のディスプレイ上に、たとえばバーコードといった視覚的コードを表示し、前記第２の動作機器（４ｂ）によって前記コードを光学的にスキャニングおよびデコードすることと、
・音響信号と、
・たとえばブルートゥースまたはＮＦＣといった短距離無線プロトコルと
のうちの１つによって、
短距離内でのみ動作する通信を介して前記第２の動作機器（４ｂ）に前記リモート認証情報を送信する、請求項７または８に記載の方法。
【請求項１０】
動作機器（４）への承認の割り当ては、同じ認証情報と、前記飲料準備マシン（１）に格納される承認とを使用する同じ承認の動作機器（４）が、この認証情報に割り当てられることにより実現される、請求項２〜９のいずれか１項に記載の方法。
【請求項１１】
動作機器（４）への承認の前記割り当ては、個々の認証情報と、前記飲料準備マシン（１）に格納される承認とを使用する前記動作機器（４）の各々が、この個々の認証情報に割り当てられることにより実現される、請求項２〜９のいずれか１項に記載の方法。
【請求項１２】
特に、前記作製ステップといった前記飲料準備マシン（１）におけるあるアクションは、対応するアクティベーションコマンドが、前記飲料準備マシン（１）自身によってベースステーションとして規定される無線ネットワークにおいて受信される場合にのみアクティベート可能である、請求項１〜１１のいずれか１項に記載の方法。
【請求項１３】
請求項１〜６のいずれか１項に記載の方法を実行するように設計されている、飲料準備マシン（１）。
【請求項１４】
ユーザとのインタラクションのため、かつ、請求項１３に記載の前記飲料準備マシン（１）の通信ユニット（１５）との無線通信のための動作機器（４ａ）の動作のためのコンピュータプログラムであって、前記動作機器（４ａ）上での実行の際、前記コンピュータプログラムは少なくとも、第２の動作機器（４ｂ）のための中間承認を作成するために、
・前記飲料準備マシン（１）における割り当てられた基本認証情報により中間承認を作成するためのコマンドを前記飲料準備マシン（１）に送信するステップと、
・前記飲料準備マシン（１）に格納される前記基本認証情報に基づいて、前記第２の動作機器（４ｂ）が前記飲料準備マシン（１）において自身を認証することを許可するリモート認証情報を前記第２の動作機器（４ｂ）に送信するステップとを実行する、コンピュータプログラム。